(57)【要約】【課題】養殖海産物を引き上げる際に海中に脱落する養殖海産物を効率良く回収する海流よって引き揚げられる養殖用ロープの移動を考慮しなければならないが、本発明は海流によって変動するロープの変化を考慮して効率良くロープから脱落した海産物の回収を図りうる回収装置の改良である。【解決手段】船縁に設置した養殖用ロープ２０引き上げのためのロープガイド３０を水平方向に旋回可能な構造とし、脱落回収かご等に設けた羽根シート体１８の移動軌跡の円弧の中心をロープガイド３０の旋回中心とほぼ一致するように設定し、脱落回収用のフレームに対し円弧状に設定した案内棒をガイドにして移動可能にした誘導用シート体１８をコイルスプリングを介して設け、更に、羽根シート体１８は、一枚の樹脂製の材質で構成され、羽根部１８ａはシート体１８に切り溝を多数設けて夫々の羽根部１８ａが独立して可撓性を有するようにした海産物回収装置。【選択図】図６
2005058125.tif 000002
【特許請求の範囲】
【請求項１】
脱落回収手段に設置した誘導用シート体を養殖用ロープ状体の周りを旋回する方向に移動可能にしたことを特徴とする。
【請求項２】
脱落回収手段のフレーム体に対し円弧状に設定した案内体をガイドにして移動可能にした誘導用シート体を設けたことを特徴とする。
【請求項３】
脱落回収手段のフレーム体に対し円弧状に設定した案内体をガイドにして移動可能にした誘導用シート体を可撓性筒体を介して設けたことを特徴とする。
【請求項４】
上記シート体は、一枚の薄板の材料で構成され、羽根部はシート体に切り溝を多数設けて脱落海産物の誘導を容易にするため夫々の羽根部が独立しかつ可撓性を有する。
【請求項５】
船縁に設置した養殖用ロープ状体引き上げのためのロープガイドを水平方向に旋回可能及び又は左右動作可能な構造とし、脱落回収手段に設けた誘導用シート体の移動軌跡の円弧の中心を上記ロープガイドの旋回中心とほぼ一致するように設定したことを特徴とする。
【発明の詳細な説明】
【技術分野】
【０００１】
本発明は、養殖海産物を引き上げる際に海中に脱落する養殖海産物を効率良く回収する海産物回収装置の改良に関するものである。
【背景技術】
【０００２】
【特許文献１】特開平７−１５５０８５号公報
【特許文献２】登録実用新案公報第３０３４４５７号
【０００３】
特許文献１及び２には、いずれも養殖紐に付着させた養殖貝類の回収の際に海中脱落する量をできるだけ低減するための構造が記載されている。
【０００４】
しかし、実際には、漁場は常に潮の流れがあり、停船した船縁の位置方向と海流の方向とが常に一定の関係にあることは少ない。船縁の位置と海流とが当初から異なったときは、引き上げられる養殖用ロープ２０が、図に示すように、特許文献２の図１の縁３側に寄ってしまい、放置すると、脱落した貝類の回収のための設けた誘導用の羽根１１が有効に作用せずに、ロープの一方側は羽根１１が当たっているものの、他方側は縁３側に寄っているため羽根１１の作用はなく、したがって、水揚げすべき貝類は海中に脱落してしまう。
【発明の開示】
【発明が解決しようとする課題】
【０００５】
解決しようとする問題点は、引き揚げ用養殖ロープの位置が海流の影響によってロープガイドの縁側に寄った場合に、ガイド自体を水平方向に旋回して常に中央位置寄りに修正可能な構造が必要であり、かつ回収かご側に設置した誘導用羽根シートもロープガイドの動きにあわせて最適な位置に修正可能な構造にする必要がある。
【課題を解決するための手段】
【０００６】
本発明は、第１に、脱落回収手段に設置した誘導用シート体を養殖用ロープ状体の周りを旋回する方向に移動可能にしたことを特徴とする海産物回収装置。
【０００７】
第２に、脱落回収手段のフレーム体に対し円弧状に設定した案内体をガイドにして移動可能にした誘導用シート体を設けたことを特徴とする海産物回収装置。
【０００８】
第３に、脱落回収手段のフレーム体に対し円弧状に設定した案内体をガイドにして移動可能にした誘導用シート体を可撓性筒体を介して設けたことを特徴とする海産物回収装置。
【０００９】
第４に、上記シート体は、一枚の薄板製の材料で構成され、羽根部はシート体に切り溝を多数設けて脱落海産物の誘導を容易にするため夫々の羽根部が独立しかつ可撓性を有する請求項１、請求項２又は請求項３記載の海産物回収装置。
【００１０】
第５に、船縁に設置した養殖用ロープ状体引き上げのためのロープガイドを水平方向に旋回可能及び又は左右動作可能な構造とし、脱落回収手段に設けた誘導用シート体の移動軌跡の円弧の中心を上記ロープガイドの旋回中心とほぼ一致するように設定したことを特徴とする海産物回収装置。
【発明の効果】
【００１１】
本発明は、海流の変化が生じても、ロープガイド状体の位置を修正でき、かつ海産物脱落回収用手段の位置を固定していても、ロープガイド状体の中心にあわせて、回収誘導用の可撓性の羽根シート状体を移動可能としたので、海産物の引き揚げに際して、脱落した海産物が回収装置の可撓性の羽根シート状体に接したシート部のみが弾性で広げられ、脱落した場合はシート状体の上を滑って回収かご又はネット等へ導入され、可撓性のシート状体を常に有効に作用させることができるため、引き揚げた海産物が海中に脱落する割合を従来より大幅に少なくすることができる。
【発明を実施するための最良の形態】
【００１２】
船縁に設置した養殖用ロープ引き上げのためのロープガイドを水平方向に旋回可能な構造とし、脱落回収かご等に設けた羽根シート体の移動軌跡の円弧の中心を上記ロープガイドの旋回中心とほぼ一致するように設定し、脱落回収用のフレームに対し円弧状に設定した案内棒をガイドにして移動可能にした誘導用シート体を可撓性筒体例えばコイルスプリングを介して設け、更に、上記羽根シート体は、一枚の樹脂製の材質で構成され、羽根部はシート体に切り溝を多数設けて夫々の羽根部が独立して可撓性を有するようにした海産物回収装置。
【実施例１】
【００１３】
図１、図２は、本発明装置の実施例を示す回収装置の一例を示す上方より見たフレームの斜視図及び上方より見た側面図である。回収装置１０のフレーム１０ａは太いパイプにより、平面上Ｕ字状に曲げた基本的構造を有し、回収するためのネットを収納するために所要の高さに設定される。更に細いパイプ１１等で補強を図っている。そして全体に網（図示せず）が取り付けられる。そして網を張り付けた内側には、脱落した海産物が誘導されて回収するための回収用ネット又はかご（図示せず）が取り外し可能に収納される（図８参照）。回収用ネットは回収した海産物で一杯になると、人手により船内に引き揚げて脱落海産物の完全な回収を図ることになる。
【００１４】
フレーム１０ａには、図１に示すように、海産物脱落時の回収のための羽根シートを取り付けるための円弧状のパイプ１３又は棒体が設けられている。パイプ１３はその円弧中心が、図３に示すように、養殖用ロープの案内のためのロープガイド３０の水平方向旋回中心Ｃとほぼ同心に設定される。
【００１５】
そして図１に示すように、パイプ１３の外径側に、可撓性筒体例えばコイルスプリング１４が設けられる。すなわち図４に示すように、コイルスプリング１４の外面に対し、ビニール製のタイ等１５で羽根シート１６と一体化される。コイルスプリング１４は外力がないときは、直線状にあるが、円弧状パイプ１３に、はめ込んだ状態では、両者に摩擦が生ずることによって、自由な移動はできなくなるが、手で簡単に左右に移動させることができる。この場合、可撓性筒体として、コイルスプリングを採用することにより、ビニール製タイ１５で締め付ける際に筒体がつぶれない程度の剛性を保持しているため最適である。但しこのような剛性機能をするものであれば、ゴム製（又はスプリングもしくは金属網内蔵）の筒体、又は樹脂製の筒体であっても良い。
【００１６】
羽根シート１８は、図３に示すように、一枚の合成樹脂製シートであり、弾力性を保持しており、反発性のあるものが採用される。厚みは材質・機能を勘案して２〜５mm程度のものが採用される。そしてスプリング体１４に固定化するためにビニールタイ１５を通すための穴１７が複数設けられ、海産物の通過によって撓みを容易にするための羽根部を複数設けるため、複数の切り溝１９が形成される。切り溝１９によって、海産物の通過する位置にある羽根部１８ａは弾性で反る（図５参照）が、その他の羽根部１８ａはそのままの位置を保持して隙間を生じないようにすることができる。
【００１７】
この場合、羽根シート１８をコイルスプリング体１４に取り付けたときは、コイルスプリング体１４が円弧状になっているため、羽根シート１８の位置はパイプ１３との摩擦によって一定位置を保持しているが、フレーム１０ａとロープガイド３０との組立を容易にするため、図１及び図４に示すように、羽根シート１８が水平により上方に位置に固定化するための支え棒２１が設けられている。支え棒２１により、羽根シート１８が斜め上方角度位置（図４中、二点鎖線図示）より下がらないようにすることができる。したがって、船縁に設置したロープガイド３０に回収装置１０を取り付ける際に、下がった羽根シート８を持ち上げながら設置する必要がなくなり、羽根シート１８がロープガイド３０に垂直に当接して無理な曲げ応力が掛かって破損することを回避することができる。
【００１８】
次に、本発明装置の使用態様を説明する。最初の段階では潮の流れを確認して船の方向を決め、ロープガイド３０、回収装置１０の位置を、養殖用ロープ２０の位置の中心が一致するように設定する。養殖用ロープ２０の引き揚げ時に、満潮又は干潮の影響によって海流（潮流）が変わった場合、ロープガイド３０及び回収装置１０をそのままにしておくと、図７に示すように、養殖用ロープ２０はロープガイド３０・回収装置１０の端側に偏ってしまい、回収装置１０の誘導用羽根シート１８が完全・有効に働かなくなり、ロープガイド３０の縁から脱落した海産物が海中に没してしまい、海産物の回収率は著しく低減する。
【００１９】
海流が変化したときは、その方向を確認して養殖ロープ２０の中心がロープガイド３０の中心寄りになるように、図５又は図６に示すように、旋回修正すると共に、回収装置１０の脱落誘導用の羽根シート１８（コイルスプリング体１４と共に）の位置もロープガイド３０にあわせて左又は右に移動させることにより、常に養殖用ロープ２０の位置がロープガイド３０及び回収装置１０の中心側に寄せられ、その結果、羽根シート１８の各々の羽根部１８ａがロープ２０の左右に存在するので、羽根シート１８の誘導機能を発揮することにより、脱落した海産物の回収かご又はネットへの誘導を確実に果たしうることになる。そして養殖海産物が羽根シート１８の上を通過した後は、羽根シート自体の弾性反発性によって、羽根部１８ａは他の羽根部と同様の位置に戻り、ロープガイド３０に接することになる。したがって、羽根部とロープガイド３０との隙間を生ずることはない。
【００２０】
尚、ローブガイド３０は水平方向へ旋回可能な構造のほかに、水平方向及び左右傾き動作の可能な構造とすることができ、このような構造のロープガイドであっても、シート体自体の弾性によって、ロープガイドとの隙間を生ずることはなくなる。
【産業上の利用可能性】
【００２１】
本発明装置は養殖用ホタテ貝の収穫回収や牡蠣その他海藻等、広く海中にロープを垂らしてそのロープに養殖海産物を生育させる用途に適用可能である。
【図面の簡単な説明】
【００２２】
【図１】回収装置のフレームを説明する斜視図
【図２】同じく斜視図
【図３】羽根シートの説明に供する図
【図４】羽根シートの取り付け構造の一例を示す図
【図５】羽根シートの動きを示す図
【図６】羽根シートの動きを示す図
【図７】従来の構造の説明図
【図８】本発明の一例の回収装置・ネット・回収ネットの関係を示す写真。
【符号の説明】
【００２３】
１０  回収装置
１８  羽根シート
１８ａ  羽根部
２０  養殖ロープ
３０  ロープガイド
【図１】
2005058125.tif 000003
【図２】
2005058125.tif 000004
【図３】
2005058125.tif 000005
【図４】
2005058125.tif 000006
【図５】
2005058125.tif 000007
【図６】
2005058125.tif 000008
【図７】
2005058125.tif 000009
【図８】
2005058125.tif 000010